(57)【要約】      （修正有）【課題】積雪地域において屋根に堆積した雪を、屋根から落雪することなく融雪し、雨樋もしくは雨水管を経て排出するための融雪パネルを提供する。【解決手段】屋根自体を、枠体と枠体の上側と下側に取り付けられる面材とを有し、枠体内に気化させた熱媒体を通過することにより熱が伝導させ、屋根上に堆積した雪を解かす屋根パネルを、融雪を必要とす場所において、枠体内に設けられた通路と、通路の一端部に気化した熱媒体を取り入れ、かつ、液化した熱媒体を排出するための穴を備え、通路の他端部に、通路から気化した熱媒体を排出し、かつ、液化した熱媒体を排出するための穴を備える屋根パネル２，３を使用し屋根を造り込み、往き配管５及び戻り配管６をヘッダー配管として、融雪機能付屋根パネル２を千鳥状に複数枚、融雪面積に比し敷設し、蒸気ボイラー１が発する高圧蒸気をシステムにより循環させ融雪（消雪）する装置を施工供給する。【選択図】図１
2012041809.tif 000002
【特許請求の範囲】
【請求項１】
枠体と前記枠体の上側と下側に取り付けられる面材とを有し、前記枠体内に気化させた熱媒体を通過させることにより発生した熱が伝導することにより、屋根上に堆積した雪を解かす屋根パネルであって、
枠体内に設けられた熱媒体を通過させる通路と、
前記通路の一端部に気化した熱媒体を取り入れ、かつ、液化した熱媒体を排出するための穴を備え、
前記通路の他端部に、前記通路から気化した熱媒体を排出し、かつ、液化した熱媒体を排出するための穴を備えることを特徴とする屋根パネル。
【請求項２】
前記通路は、前記屋根パネル内を蛇行しており、かつ、蛇行した通路にバイパスを設けたことを特徴とする請求項１に記載の屋根パネル。
【請求項３】
前記屋根パネルの側面の高さと幅との比率は０．００５〜０．１であり、かつ、前記枠体の形状は六角形であることを特徴とする請求項１または請求項２に記載の屋根パネル。
【請求項４】
請求項３に記載の屋根パネルを複数並べて設置した屋根パネルの集合体であって、
屋根パネル内で液化した熱媒体を排出するための穴と前記屋根パネルと隣接しない屋根パネルの気化した熱媒体を取り入れるための穴とを連結パイプにて連結することを特徴とする屋根パネル集合体。
【請求項５】
請求項３に記載の屋根パネルを複数並べて設置した屋根パネル集合体であって、
上下方向において隣接しない最短位置にある屋根パネル同士を連結パイプにて連結することを特徴とする請求項４に記載の屋根パネル集合体。
【請求項６】
前記屋根パネルの形状が六角形であることを特徴とする請求項１及び請求項５のいずれかに記載の屋根パネル及び屋根パネル集合体。
【発明の詳細な説明】
【技術分野】
【０００１】  この発明は、太陽熱の有効利用などエコに関する分野、ロードヒーティングや床暖房などの屋内外における熱交換機器の技術分野、各種金属の製造加工に関する分野、機器全体をシステムとして可動する電子制御関連の分野、システムの熱交換用熱媒体を昇温する熱源の分野、建築用屋根材として使用するため、建築基準の分野など幅広い分野に関連する。
【背景技術】
【０００２】  最近の積雪には、地球温暖化などの環境変化に関連が有るのか例年にない積雪の傾向が見られる。水分を多く含んだ雪と、異常な寒波時に降り積もるパウダー状の雪が交互に重なるように堆積し、互いの相乗効果で、亀裂の入りにくい強固な積雪が見られる。このような積雪により、屋根の端末を巻き込むように堆積した雪が、屋根の軒先部分に偏った荷重として集中し、屋根材である垂木を破損するといった雪害が近年頻繁に起きている。
また今後の日本が高齢化社会に向かう事は避けられない事実であり、高齢者の多い山間地域の実情や、軒先を連ねる商店街での屋根雪処理に対する不便さ等を考慮し、積雪地域における、屋根雪の融雪（消雪）に着目した。【０００３】  さらに、このパネルを利用することで太陽熱から温水を作り出す熱交換技術の分野、さらには太陽光発電のソーラーパネルと融合してソーラーパネルに堆積した雪を融雪することで積雪の多い地域でのソーラー発電の分野に貢献、夏は発電パネルの温度上昇を抑制し発電効率を向上させ、かつその際温まった熱源流体の熱を給湯に利用するなどエコロジーとして貢献し、年間を通して熱エネルギーを有効に熱交換ができる屋根パネルとすることができる。
【先行技術文献】
【特許文献】
【特許文献１】  特開平６−２７２４２９号公報
【特許文献２】  特開２００７−４００３１号公報
【発明の概要】
【発明が解決しようとする課題】
【０００４】  特許文献１の技術によれば、融雪のために温水を圧送するポンプと散水管に接続された縦配管の内部に水が滞留するため外気温度が氷点下に達した場合に凍結する、そのため、融雪装置及び連結管類が凍結により破損する、もしくは破損しないにしても、熱源流体の通過路が凍結水（氷）により遮断され、融雪装置として、機能しなくなる事が考えられる。【０００５】  特許文献２の技術によれば、屋根全体に熱伝導が行き渡りにくく、屋根面全体を均一に融雪（消雪）する事は困難で、部分的に雪が屋根上に残りすべての雪を融かすため熱伝導が比較的に遠い部分まで熱配分するためには時間がかかり、過大なエネルギーが必要になる。さらに前者後者とも、屋根とは別に施工した融雪装置であり、施工状態において本来の屋根とは別の部材が取り付くため美観が損なわれる。
【課題を解決するための手段】
【０００６】  上記課題を解決するために、本発明は、枠体と前記枠体の上側と下側に取り付けられる面材とを有し、前記枠体内に気化させた熱媒体を通過させることにより発生した熱が伝導することにより、屋根上に堆積した雪を解かす屋根パネルであって、枠体内に設けられた熱媒体を通過させる通路と、前記通路の一端部に気化した熱媒体を取り入れ、かつ、液化した熱媒体を排出するための穴を備え、前記通路の他端部に、前記通路から気化した熱媒体を排出し、かつ、液化した熱媒体を排出するための穴を備えることを特徴とする屋根パネルとした。【０００７】  本発明は、枠体内に設けられた熱媒体を通過させる通路は前記屋根パネル内を蛇行しており、かつ、蛇行した通路にバイパスを設けた屋根パネルとした。【０００８】  本発明は、前記屋根パネルの側面の高さと幅との比率は０．００５〜０．１であり、かつ、前記枠体の形状は六角形であることを特徴とする屋根パネルとした。【０００９】  本発明は、屋根パネルを複数並べて設置した屋根パネルの集合体であって、屋根パネル内で液化した熱媒体を排出するための穴と前記屋根パネルと隣接しない屋根パネルの気化した熱媒体を取り入れるための穴とを連結パイプにて連結することを特徴とする屋根パネル集合体とした。【００１０】  本発明は、屋根パネルを複数並べて設置した屋根パネル集合体であって、上下方向において隣接しない最短位置にある屋根パネル同士を連結パイプにて連結することを特徴とする屋根パネル集合体とした。【００１１】  本発明は、枠体と前記枠体の上側と下側に取り付けられる面材とを有し、前記枠体内に水道水を通過させることにより前記水道水を太陽熱により温水にする屋根パネルであって、枠体内に設けられた水道水を通過させる通路と、前記通路の一端部に、水道水を取り入れ、かつ、水道水を排出するための穴を備え、前記通路の他端部に、前記通路から水道水を排出し、かつ、水道水を取り入れるための穴を備えることを特徴とする屋根パネルとした。【００１２】  本発明は、枠体内に設けられた熱媒体を通過させる通路は、前記屋根パネル内を蛇行しており、かつ、蛇行した通路にバイパスを設けたことを特徴とする屋根パネルとした。【００１３】  本発明は、屋根パネルを複数並べて配置した屋根パネル集合体であって、屋根パネルに水道水を取り入れるための穴と前記屋根パネルと隣接しない屋根パネルの水道水を排出するための穴とを連結パイプにて連結することを特徴とする屋根パネル集合体とした。【００１４】  本発明は、融雪パネル（放熱板）の形状や構造及び材質に特殊技術を駆使し、屋根材として組み立てられる組付け手順の構築、且つ融雪パネルそのものが屋根材として使用できる形状や構造及び材質を選択し、且つメンテナンスに対応し、一枚単位で屋根上どの場所でも、取り外し可能とした融雪パネルとして作り上げた。融雪の機能を備え、かつ、建築物の屋根としての使用にも十分に耐えられる融雪パネルすなわち融雪性能を備えた屋根パネルの複合体とした。【００１５】  本発明は、屋根パネルの形状が六角形であることを特徴とする屋根パネル及び屋根パネル集合体とした。
【発明の効果】
【００１６】  本発明によれば、屋根材として使用する融雪パネル内の蛇行する熱源流体の通過路に排水用のバイパスを設けた事により、融雪終了時のパネルが屋外外気温の影響を受け氷点下に到達する、このとき蛇行した放熱版内に、再液化した水が溜まりそれらが凍結することがなくなり、凍結不凍帯まで降水する、したがって屋根材として使用する融雪パネルの凍結破損を回避できる。【００１７】  さらに、熱源流体を帯状に蛇行通過させる事により、融雪時のパネル面全体が均等に加熱され、かつ熱伝導量を均一化することができた、これにより屋根面の融雪量が均等になり、融雪されない箇所がなくなる。
従って融雪時の空洞化による残雪が起こりにくくなった。【００１８】  本発明によれば、屋根材として使用する融雪パネル内に排水用のバイパスを設けた事により、融雪開始時の熱源流体通過時に熱源流体の先端部にかかる過剰圧力を一時的バイパス側へ逃がしながら進む事になる。
そのことにより、熱源流体の通過抵抗を弱め通過を円滑にすることができた。【００１９】  本発明によれば、屋根材として使用する融雪機能付屋根パネルの形状を六角形状にするとともにパネルの設置方法を千鳥状に配置（配列）する事により、施工上の接続性やメンテナンス性を容易にするばかりでなく、熱伝導の遅れやすい接続部分へ、融雪水が合流し接続部分に集中して流れることにより、消雪を補助できるばかりでなく、加熱された鏡面の熱が奪われにくくなる効果が得られた。【００２０】且つ融雪パネルの形状を六角形状とした事により、融雪水が融雪機能付屋根パネルの下端へ集中し接合部を流れることになる。そのことにより、融雪パネル鏡面に雪中の黄砂や水垢等の付着量が少なくなり鏡面の汚れを最小限に減らすことができた。【００２１】本発明によれば、屋根材として使用する融雪パネルの全体形状について熱源流体のヒートパイプ内（放熱板内）を熱源流体が帯状に通過移動させる。
このため、融雪パネルの側面の幅を、放熱板部の接続管取り付け位置から下流方向に対し、できる限り表面に対し平行な扁平状とすることでヒートパイプとしての放熱面積を広く過大にすることができた。
【図面の簡単な説明】
【００２２】
【図１】  本発明に係る融雪使用時の装置全体の一実施形態を示す斜視図。
【図２】  融雪機能付屋根パネル本体の正面透し図、及び側面図他。
【図３】  本発明の屋根パネル複合状態敷設全体図。
【発明を実施するための形態】
【００２３】  本発明の実施の形態を図に基づいて説明する。
図１は、本発明に係る融雪機能付屋根パネルの融雪時においての略式全体図で、熱源流体が流れてゆく工程を表し、本発明に係る融雪使用時の装置全体を示している。
１の蒸気ボイラーより発生した蒸気を、５に示す往き配管により２の融雪パネルへ送り、４の連結管を通過し、３の戻り側融雪パネルを通過し、６の戻り側配管をへて、８の熱源流体貯留タンクに戻す。８の地下受水槽は凍結不凍帯に敷設し、あらかじめ水道水が一定量保持してある構造とし、戻り蒸気を再液化させる。その水を再び９のポンプにより１のボイラーへ送る。
これらの一連のサイクルを繰り返す事により、屋根上の雪を融雪する。
【００２４】  図２は、本発明に係る融雪機能付屋根パネルで、その本体の平面図を裏面で蛇行する熱源流体の通路を短点線で透視できるようにした図面である。
【００２５】  図２の排水用バイパス１１が、設置されたことにより、融雪開始時の熱源流体通過時に熱源流体の先端部にかかる過剰圧力を一時的にバイパス側へ逃がしながら進む事になる。
そのことにより、熱源流体の通過抵抗を弱め通過を円滑にすることができた。
【００２６】  図３は、図２の屋根パネルを、屋根材として複数枚取り付けた状態図で、屋根として千鳥状に敷設した状態で一部裏面を蛇行する熱源流体の通路を短点線で透視できるように記載してある。
【実施例１】
【００２７】  本発明の実施はマイナス５度の室温で自然雪を使用して実際に融雪を行った。
鏡面を３ミリのステンレス版を使用し、熱源流体は軟水を使用、熱源はプロパンで小型の蒸気ボイラーを使用した。【００２８】  屋根パネルが間口に４列奥行４列取り付けられる大きさの屋根を作り（図３参照）垂木を敷設その上に、野地板に見立てた透明のアクリル板を取り付けた。  屋根に敷設した屋根パネルを市販の架橋ポリエチレン（耐熱）で配管接続し、パネル内に蒸気を送り込むことにより融雪した。【００２９】  本発明に係る融雪使用時の装置全体２の融雪機能付屋根パネルが今回の特許出願の集約部分で、これ自体を屋根材として使用し、屋根に千鳥状に敷設した。８に貯留してある水道水を９の加圧ポンプにより加圧し、１の蒸気ボイラーに送る。１で発生させた水蒸気を、５に示す往き配管により２の融雪パネルへ送り、４の連結管を通過し、３の戻り側融雪パネルを通過し、６の戻り側配管をへて、８の熱源流体貯留タンクに戻す。【００３０】  １６枚の屋根パネル上に自然雪が３０センチ堆積した状態から融雪作業を開始した。図１の配管経路の状態にした、ガス小型蒸気発生器を使用し、発生した蒸気を通過させ融雪を試みた結果、気温マイナス５度の室温の条件下のもと、融雪が完了した。
融雪面積約２０平米を融雪しおよそ１時間後に融雪が完了した。
【符号の説明】
【００３１】  １  蒸気ボイラー
２  融雪機能付屋根パネル
３  戻り融雪機能付屋根パネル
４  接続管
５  往き配管
６  戻り配管
７  雨水管
８  熱源流体貯留タンク
９  加圧ポンプ
１１  排水用バイパス
１３  雪止め
１４  雨樋
【図１】
2012041809.tif 000003
【図２】
2012041809.tif 000004
【図３】
2012041809.tif 000005